(57)【特許請求の範囲】
【請求項１】
立体映像の映像信号である第１のインタレース信号と、前記第１のインタレース信号と相補的な関係にある第２のインタレース信号とを合成し、立体映像の順次走査信号を生成する立体映像信号生成方法であって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成するステップと、
前記第１のインタレース信号と、前記補間ライン信号とを合成して順次走査信号を生成するステップと
を有することを特徴とする立体映像信号生成方法。
【請求項２】
前記補間ライン信号を生成するステップは、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成することを特徴とする請求項１に記載の立体映像信号生成方法。
【請求項３】
第１のインタレース信号と第２のインタレース信号との相違によって、前記ｋを適応的に変化させることを特徴とする請求項２に記載の立体映像信号生成方法。
【請求項４】
第１のインタレース信号と前記第１のインタレース信号と相補的な関係にある第２のインタレース信号とから成る立体映像信号を伝送する立体映像伝送方法であって、
第１のインタレース信号における上下２ラインの映像信号と、前記第２のインタレース信における前記上下２ラインに挟まれる位置にあるラインの映像信号とに基づいて補間ライン信号を生成し、この補間ライン信号と前記第１のインタレース信号とを合成することによって順次走査信号に変換し、この順次走査信号を伝送することを特徴とする立体映像伝送方法。
【請求項５】
前記補間ライン信号は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成することを特徴とする請求項４に記載の立体映像伝送方法。
【請求項６】
第１のインタレース信号と第２のインタレース信号との相違によって、前記ｋを適応的に変化させることを特徴とする請求項５に記載の立体映像信号伝送方法。
【請求項７】
前記定数ｋを生成された順次走査信号とともに伝送し、
受信した順次走査信号と定数ｋとに基づいて、第１のインタレース信号と第２のインタレース信号とを復元することを特徴とする請求項５又は請求項６に記載の立体映像信号伝送方法。
【請求項８】
前記定数ｋを生成された順次走査信号のブランキング信号に挿入することを特徴とする請求項７に記載の立体映像信号伝送方法。
【請求項９】
立体映像の映像信号である第１のインタレース信号と、前記第１のインタレース信号と相補的な関係にある第２のインタレース信号とを合成し、立体映像の順次走査信号を生成する立体映像信号生成装置であって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成する補間ライン信号生成手段と、
前記第１のインタレース信号と、前記補間ライン信号とを合成して順次走査信号に変換する手段と
を有することを特徴とする立体映像信号生成装置。
【請求項１０】
前記補間ライン信号生成手段は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成するように構成されていることを特徴とする請求項９に記載の立体映像信号生成装置。
【請求項１１】
前記補間ライン信号生成手段は、第１のインタレース信号と第２のインタレース信号との相違によって、前記ｋを適応的に変化させることを特徴とする請求項１０に記載の立体映像信号生成装置。
【請求項１２】
前記定数ｋを生成された順次走査信号のブランキング信号に挿入する手段を有することを特徴とする請求項１０又は請求項１１に記載の立体映像信号伝送方法。
【請求項１３】
第１のインタレース信号と前記第１のインタレース信号と相補的な関係にある第２のインタレース信号とから成る立体映像信号を伝送する立体映像伝送システムであって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成する補間ライン信号生成手段と、
前記第１のインタレース信号と、前記補間ライン信号とを合成して順次走査信号に変換する手段と、
前記順次走査信号を伝送する伝送装置と
を有することを特徴とする立体映像信号伝送システム。
【請求項１４】
前記補間ライン信号生成手段は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成するように構成されていることを特徴とする請求項１３に記載の立体映像信号伝送システム。
【請求項１５】
前記補間ライン信号生成手段は、第１のインタレース信号と第２のインタレース信号との相違によって、前記ｋを適応的に変化させることを特徴とする請求項１４に記載の立体映像信号伝送システム。
【請求項１６】
前記定数ｋを生成された順次走査信号とともに伝送する手段と、
受信した順次走査信号と定数ｋとに基づいて、第１のインタレース信号と第２のインタレース信号とを復元する手段と
を有することを特徴とする請求項１４又は請求項１５に記載の立体映像信号伝送システム。
【請求項１７】
前記定数ｋを生成された順次走査信号のブランキング信号に挿入する手段を有することを特徴とする請求項１６に記載の立体映像信号伝送システム。
【発明の詳細な説明】
【０００１】
【発明が属する技術分野】
本発明は立体映像の映像信号の生成及び伝送の技術に関し、特に互いに相補的な関係にあるインタレース方式の立体映像信号を合成して順次走査信号に変換する生成方法、又は特に互いに相補的な関係にあるインタレース方式の立体映像信号を合成して順次走査信号に変換して伝送する技術に関する。
【０００２】
【従来の技術】
近年、映像サービスも多種にわたっており、立体映像のサービスも試みられている。この立体映像の代表的な方法として、左目用の映像信号と、右目用の映像信号とを伝送し、受信側で特殊なメガネを用いることにより、立体映像を鑑賞することが出来る。
【０００３】
【発明が解決しようとする課題】
しかしながら、立体映像は特殊な装置を必要とし、一般の受像機では鑑賞できない場合が多い。そこで、特殊な装置を持たないユーザのため、立体映像の映像信号でも通常の映像が観られる映像信号が望まれていた。
【０００４】
一方、映像信号もインタレース方式から順次走査方式に移行しつつあり、今後順次走査方式が主流になると思われる。
【０００５】
そこで、本発明は上記課題に鑑みて発明されたものであって、その目的は立体映像信号を、立体映像でない通常の映像としても鑑賞に堪えられる両立性のある順次走査方式の映像信号に変換して伝送することの出来る技術を提供することにある。
【０００６】
【課題を解決するための手段】
上記目的を達成する第１の発明は、立体映像の映像信号である第１のインタレース信号と、前記第１のインタレース信号と相補的な関係にある第２のインタレース信号とを合成し、立体映像の順次走査信号を生成する立体映像信号生成方法であって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成するステップと、
前記第１のインタレース信号と、前記補間ライン信号とを合成して順次走査信号を生成するステップと
を有することを特徴とする。
【０００７】
上記目的を達成する第２の発明は、上記第１の発明において、前記補間ライン信号を生成するステップは、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成することを特徴とする。
【０００８】
上記目的を達成する第３の発明は、上記第３の発明において、第１のインタレース信号と第２のインタレース信号との相違によって、前記ｋを適応的に変化させることを特徴とする。
上記目的を達成する第１の発明は、第１のインタレース信号と前記第１のインタレース信号と相補的な関係にある第２のインタレース信号とから成る立体映像信号を伝送する立体映像伝送方法であって、
第１のインタレース信号における上下２ラインの映像信号と、前記第２のインタレース信における前記上下２ラインに挟まれる位置にあるラインの映像信号とに基づいて補間ライン信号を生成し、この補間ライン信号と前記第１のインタレース信号とを合成することによって順次走査信号に変換し、この順次走査信号を伝送することを特徴とする。
【０００９】
上記目的を達成する第５の発明は、上記第４の発明において、前記補間ライン信号は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成することを特徴とする
上記目的を達成する第６の発明は、上記第５の発明において、第１のインタレース信号と第２のインタレース信号との相違によって、前記ｋを適応的に変化させることを特徴とする。
【００１０】
上記目的を達成する第７の発明は、上記第５又は第６の発明において、前記定数ｋを生成された順次走査信号とともに伝送し、
受信した順次走査信号と定数ｋとに基づいて、第１のインタレース信号と第２のインタレース信号とを復元することを特徴とする。
【００１１】
上記目的を達成する第８の発明は、上記第７の発明において、前記定数ｋを生成された順次走査信号のブランキング信号に挿入することを特徴とする。
【００１２】
上記目的を達成する第９の発明は、立体映像の映像信号である第１のインタレース信号と、前記第１のインタレース信号と相補的な関係にある第２のインタレース信号とを合成し、立体映像の順次走査信号を生成する立体映像信号生成装置であって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成する補間ライン信号生成手段と、
前記第１のインタレース信号と、前記補間ライン信号とを合成して順次走査信号に変換する手段と
を有することを特徴とする。
【００１３】
上記目的を達成する第１０の発明は、上記第９の発明において、前記補間ライン信号生成手段は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成するように構成されていることを特徴とする。
【００１４】
上記目的を達成する第１１の発明は、上記第１０の発明において、前記補間ライン信号生成手段は、第１のインタレース信号と第２のインタレース信号との相違によって、前記ｋを適応的に変化させることを特徴とする。
【００１５】
上記目的を達成する第１２の発明は、上記第１０又は第１１の発明において、前記定数ｋを生成された順次走査信号のブランキング信号に挿入する手段を有することを特徴とする。
【００１６】
上記目的を達成する第１３の発明は、第１のインタレース信号と前記第１のインタレース信号と相補的な関係にある第２のインタレース信号とから成る立体映像信号を伝送する立体映像伝送システムであって、
前記第１のインタレース信号における補間するラインの上下ラインの映像信号と、前記第２のインタレース信号の前記補間するライン位置に相当するラインの映像信号とに基づいて、前記第１のインタレース信号に補間する補間ライン信号を生成する補間ライン信号生成手段と、
前記第１のインタレース信号と、前記補間ライン信号とを合成して順次走査信号に変換する手段と、
前記順次走査信号を伝送する伝送装置と
を有することを特徴とする。
【００１７】
上記目的を達成する第１４の発明は、上記第１３の発明において、前記補間ライン信号生成手段は、
第１のインタレース信号をＬとし、第２のインタレース信号をＲとし、各添字をライン位置とし、ｋを０＜ｋ＜１の定数として、
Ｌ（ｎ＋１）＝（（Ｌｎ＋Ｌ（ｎ＋２））／２）×（１−ｋ）＋Ｒ（ｎ＋１）×ｋ
の計算処理を行い、補間ラインを生成するように構成されていることを特徴とする。
【００１８】
上記目的を達成する第１５の発明は、上記第１４の発明において、前記補間ライン信号生成手段は、第１のインタレース信号と第２のインタレース信号との相違によって、前記ｋを適応的に変化させることを特徴とする。
【００１９】
上記目的を達成する第１６の発明は、上記第１４又は第１５の発明において、前記定数ｋを生成された順次走査信号とともに伝送する手段と、
受信した順次走査信号と定数ｋとに基づいて、第１のインタレース信号と第２のインタレース信号とを復元する手段と
を有することを特徴とする。
【００２０】
上記目的を達成する第１７の発明は、上記第１６の発明において、前記定数ｋを生成された順次走査信号のブランキング信号に挿入する手段を有することを特徴とする。
【００２１】
【発明の実施の形態】
本発明の実施の形態について説明する。
【００２２】
まず、本発明の立体映像信号の生成又は伝送方法について説明する。
【００２３】
図１及び図２は、本発明の実施の形態を説明するための図である。図１、図２中、Ｌは立体映像信号中のＬ（左目）用の映像信号であり、ＲはＲ（右目）用の映像信号である。Ｌ用の映像信号、Ｒ用の映像信号ともにインタレース方式の映像信号である。尚、各映像信号に記載されている数字はライン位置を示している。
【００２４】
Ｌ用の映像信号及びＲ用の映像信号は、互いに相補的な関係にあるインタレース方式の映像信号である。すなわち、Ｌ用映像信号（インタレース）の第１のフレームがライン１、ライン３、ライン５…を有するとき、Ｒ用映像信号（インタレース）の第１のフレームはライン２、ライン４、ライン６…を有する。また、Ｌ用映像信号（インタレース）の第２のフレームがライン２、ライン４、ライン６…を有するとき、Ｒ用映像信号（インタレース）の第２のフレームはライン１、ライン３、ライン５…を有する。
【００２５】
上述のような関係を以下、相補的な関係にある信号という。
【００２６】
また、Ｌ用の映像信号及びＲ用の映像信号は、初めから上述した相補的な関係にあるインタレース方式の映像信号である必要はなく、元は順次走査方式の映像信号であったが、順次走査方式の映像信号をインタレース方式に変換することによって、互いに相補的な関係にあるインタレース方式の映像信号に変換されたものであっても良い。
【００２７】
本発明では、上述のようなＬ用映像信号（インタレース）と、Ｒ用映像信号（インタレース）とをから、以下の処理を行って順次走査信号を生成する。
【００２８】
（１）  順次走査信号を生成する際、Ｌ用映像信号（インタレース）を基準（補間される映像信号）にする。尚、本実施の形態では、Ｌ用映像信号（インタレース）を基準として説明するが、Ｒ用映像信号（インタレース）であっても良い。
【００２９】
（２）  Ｌ用映像信号（インタレース）の第１のフレームの補間ラインを生成する場合、補間ラインを中心とする上下２ラインの信号と、Ｌ用映像信号（インタレース）と相補的な関係にあるＲ用映像信号（インタレース）の補間ラインと同じラインに位置する映像信号とを用いて補間ラインを生成する。
【００３０】
例えば、Ｌ用映像信号（インタレース）の第１フレームがライン１、ライン３、ライン５…を有するとき、Ｒ用映像信号（インタレース）の第１フレームはライン２、ライン４、ライン６…を有する。そして、補間するラインをＬ用映像信号（インタレース）における第１フレームのライン２とする場合、Ｌ用映像信号（インタレース）における第１フレームのライン１及びライン３（上下ライン）の信号と、Ｒ用映像信号（インタレース）における第１フレームのライン２の信号とを用いる。
【００３１】
（３）  Ｌ用映像信号（インタレース）の上下２ラインの信号と、Ｒ用映像信号（インタレース）の補間ラインと同じラインに位置する映像信号との合成の仕方でるが、以下の式に基づいて行う。
【００３２】
Ｌ（ｎ＋１）＝（（Ｌｎ＋Ｌ（ｎ＋２））／２）×（１−ｋ）＋Ｒ（ｎ＋１）×ｋ    式１
ここで、ＬはＬ用映像信号（インタレース）、ＲはＲ用映像信号（インタレース）をそれぞれ示し、添字はライン位置を示す。また、ｋは、０＜ｋ＜１の定数である。
【００３３】
例えば、Ｌ用映像信号（インタレース）の第１フレームがライン１、ライン３、ライン５…を有するとき、Ｒ用映像信号（インタレース）の第１フレームはライン２、ライン４、ライン６…を有する。そして、補間するラインをＬ用映像信号（インタレース）における第１フレームのライン２とする場合、式１を適用すると、補間ラインＬ２は以下の通りになる。
【００３４】
Ｌ２＝（（Ｌ１＋Ｌ３））／２）×（１−ｋ）＋Ｒ２×ｋ
このように生成された補間ラインの映像信号を、Ｌ用映像信号（インタレース）に挿入することにより、第１フレームの順次走査信号を生成する。
【００３５】
同様に、Ｌ用映像信号（インタレース）の第２フレームがライン２、ライン４、ライン６…を有するとき、Ｒ用映像信号（インタレース）の第２フレームはライン１、ライン３、ライン５…を有する。そして、補間するラインをＬ用映像信号（インタレース）における第２フレームのライン３とする場合、式１を適用すると、補間ラインＬ３は以下の通りになる。
【００３６】
Ｌ３＝（（Ｌ２＋Ｌ４））／２）×（１−ｋ）＋Ｒ３×ｋ
このように生成された補間ラインの映像信号を、Ｌ用映像信号（インタレース）に挿入することにより、第２フレームの順次走査信号を生成する。
【００３７】
このように生成された立体映像の順次走査信号は、通常の順次走査信号として伝送することができる。
【００３８】
伝送された順次走査信号によれば、補間されたラインがＬ用映像信号（インタレース）の情報にＲ用映像信号（インタレース）の情報が加味されたものなので、立体映像としてではなく通常の映像（立体映像ではなく）として映像を鑑賞する場合であっても違和感なく鑑賞することができる。
【００３９】
また、信号を伝送する際に定数ｋの値も一緒に伝送することにより、受信側で、受信した映像信号から定数ｋに基づいて、Ｒ用映像信号（インタレース）を復元することが可能であり、補間ラインが間引かれて元に戻されたＬ用映像信号（インタレース）と復元されたＲ用映像信号（インタレース）によって、立体映像として鑑賞することが可能である。
【００４０】
すなわち、  上記式１
Ｌ（ｎ＋１）＝（（Ｌｎ＋Ｌ（ｎ＋２））／２）×（１−ｋ）＋Ｒ（ｎ＋１）×ｋ
から以下の式２を導くことができ、Ｒ用映像信号（インタレース）を復元することができる。
Ｒ（ｎ＋１）＝Ｌ（ｎ＋１）／ｋ−（（Ｌｎ＋Ｌ（ｎ＋２））×（１−ｋ））／２ｋ  式２
尚、ｋの伝送の方法としては、生成された順次走査信号のブランキング信号に挿入することが考えられる。
【００４１】
また、上記式１における定数ｋを一定の値にする必要はなく、立体映像によって適応的に変化させるようにしても良い。すなわち、左目用の映像と右目用の映像との相違に応じて、適応的に変化させるようにしても良い。
【００４２】
例えば、同じ被写体を、近くで撮影（近接撮影）する場合と遠くで撮影（遠景撮影）する場合とでは、近くで撮影（近接撮影）する場合の方が左目用の映像と右目用の映像との相違が大きい。そこで、通常の映像を鑑賞する場合を考慮してｋの値を小さくする。このようにすることにより、補間ラインを生成する際のＲ用映像信号（インタレース）の値が小さくなり、Ｌ用映像信号（インタレース）の値が大きくなるので、より通常の映像鑑賞時において違和感のない補間ラインを生成することができる。
【００４３】
一方、遠くで撮影（遠景撮影）する場合には、左目用の映像と右目用の映像との相違がそれほど大きくないので、ｋの値を大きくする。このようにすることにより、補間ラインを生成する際のＲ用映像信号（インタレース）の値が大きくなり、Ｌ用映像信号（インタレース）の値が小さくなるので、より立体映像鑑賞時において違和感のない補間ラインを生成することができる。
【００４４】
図３は、ｋの値の一例を示したグラフである。Ｒ用映像信号とＬ用映像信号との相違が１０から２０画素程度のとき、ｋ＝０．３である。そして、相違が大きくなるほどｋの値が小さくなり、相違が小さくなるほどｋの値が大きくなっている。
【００４５】
次に、上述の方法を実現する装置について説明する。
【００４６】
図３は立体映像の順次走査信号を生成する装置のブロック図である。
【００４７】
図３中、３１はＬ用映像信号（インタレース）をライン遅延する遅延部である。この遅延部３１は、入力されたＬ用映像信号（インタレース）をライン遅延して、後に入力される信号とのタイミングをとる。
【００４８】
３２は補間ライン生成部である。この補間ライン生成部３２は、Ｌ用映像信号（インタレース）とＲ用映像信号（インタレース）とを入力し、上記式１の計算を行い、補間ラインを生成する。
【００４９】
３３は合成部であり、補間ライン生成部３２から出力される補間ラインとＬ用映像信号（インタレース）とを合成して、順次走査信号を生成する。
３４は間引き部であり、受信した順次走査信号のうち補間ラインを間引き、Ｌ用映像信号（インタレース）に変換するものである。
【００５０】
３５は復元部であり、受信した順次走査信号のブランキング信号から定数ｋが抽出し、この定数ｋと、上述した式２とに基づいてＲ用映像信号（インタレース）を復元する。
【００５１】
続いて、上記構成における動作を説明する。
【００５２】
まず、遅延部３１から出力されるＬ用映像信号（インタレース）と、Ｌ用映像信号（インタレース）と、Ｒ用映像信号（インタレース）とが補間ライン生成部３２に入力される。例えば、Ｌ用映像信号（インタレース）における第１フレームの第１ラインＬ１及び第３ラインＬ３と、Ｒ用映像信号（インタレース）における第１フレームの第２ラインＲ２とが、補間ライン生成部３２に入力される。
【００５３】
続いて、計算部３２では、式１に基づいて補間ラインＬ２を生成する。すなわち、Ｌ２＝（（Ｌ１＋Ｌ３）／２）×（１−ｋ）＋Ｒ２×ｋ
の計算を行って、補間ラインＬ２を生成する。
【００５４】
生成された補間ラインＬ２は合成部３３に入力され、補間ラインＬ２とＬ用映像信号（インタレース）と合成され、さらに定数ｋがブランキング信号に挿入されて順次走査信号が生成される。
【００５５】
そして、生成された順次走査信号は伝送され、受像機側、もしくはユーザの希望によって、通常又は立体の映像で鑑賞されることとなる。
立体の映像で鑑賞する場合には、上述したようにブランキング信号に挿入されている定数ｋにより、Ｒ用映像信号（インタレース）が復元される。
【００５６】
すなわち、間引き部３４により、順次走査信号の補間ラインが間引かれてＬ用映像信号（インタレース）に変換される。
【００５７】
一方、復元部３５により、ブランキング信号から定数ｋが抽出されて、この定数ｋと、上述した式２
Ｒ（ｎ＋１）＝Ｌ（ｎ＋１）／ｋ−（（Ｌｎ＋Ｌ（ｎ＋２））×（１−ｋ））／２ｋ
とにより、Ｒ用映像信号（インタレース）が復元される。
【００５８】
また、上記式１における定数ｋを一定の値にする必要はなく、上述したように立体映像によって適応的に変化させるようにしても良い。
【００５９】
尚、上述した本実施の形態において、補間される映像信号をＬ用映像信号（インタレース）としたが、Ｒ用映像信号（インタレース）を基準にしても良いことは言うまでもない。
【００６０】
【発明の効果】
本発明によれば、立体映像の鑑賞と、通常の映像の鑑賞とを両立させることのできる映像信号を生成することができる。
【００６１】
また、本発明の立体映像信号は順次走査方式であるので、特殊な伝送方式を用いなくとも、立体映像信号を伝送することができる。
【図面の簡単な説明】
【図１】図１は本発明の実施の形態を説明するための図である。
【図２】図２は本発明の実施の形態を説明するための図である。
【図３】図３は本発明の実施の形態を説明するための図である。
【図４】図４は本発明の実施の形態のブロック図である。
【符号の説明】
３１      遅延部
３２      補間ライン生成部
３３      合成部
３４      間引き部
３５      復元部
【図１】
0004424640.tif 000002
【図２】
0004424640.tif 000003
【図３】
0004424640.tif 000004
【図４】
0004424640.tif 000005